(57)【要約】【課題】生産性と作業性と防水性を兼ね備えた電力量計を得ることを目的とする。【解決手段】壁面に設置されることを前提とする電力量計１であって、本体部２の前面側を覆うカバー３は、本体部２に固定され、計量部２２を覆う上カバー３１と、本体部２に対して前後方向で着脱自在に構成され、上カバー３１の下側の突き合わせ端部３１ｆｊと突き合わさり、上カバー３１と上下方向に連なる下カバー３２と、で構成され、下カバー３２の上カバー３１に対する突き合わせ端部３２ｆｊには、前面から両側面の背面側に至るＵ字状の延在方向に沿って流路溝３２ｄが形成されている。【選択図】図１
2018179771.tif 000002
【特許請求の範囲】
【請求項１】
壁面に設置されることを前提とする電力量計であって、
前記壁面への設置状態において、
配線に流れる電力を計量する計量部と、前記計量部の下方側に配置され、前記配線と前記計量部とを電気接続するための複数の端子が配列された配線作業面を前面側に有する端子ブロックとが設けられた本体部と、
前記本体部の前面側を覆うカバーと、を備え、
前記カバーは、
前記本体部に固定され、前記計量部を覆う上カバーと、前記本体部に対して前後方向で着脱自在に構成され、前記上カバーの下側の突き合わせ端部と突き合わさり、前記上カバーと上下方向に連なる下カバーと、で構成され、
前記下カバーの前記上カバーに対する突き合わせ端部には、前面から両側面の背面側に至るＵ字状の延在方向に沿って流路溝が形成されていることを特徴とする電力量計。
【請求項２】
前記流路溝のうち、前記前面に沿った部分では、両端部より中央部が高くなるように傾斜が設けられていることを特徴とする請求項１に記載の電力量計。
【請求項３】
前記流路溝のうち、前記前面に沿った部分では、複数の流路溝が並行するように形成されていることを特徴とする請求項１または２に記載の電力量計。
【請求項４】
前記流路溝は、前記突き合わせ端部に沿って内表面から突出する突出部の上面に形成されたものであり、
前記上カバーには、前記突出部のうち、前記前面に沿った部分を上下方向から把持する把持部が形成されていることを特徴とする請求項１から３のいずれか１項に記載の電力量計。
【請求項５】
前記下カバーの側面の外表面は、前面側と背面側との間に段差が形成されており、
前記流路溝のうち、前記側面に沿った部分では、前記外表面の段差による溝幅の変化を防止するガイド壁が形成されていることを特徴とする請求項１から４のいずれか１項に記載の電力量計。
【請求項６】
前記上カバーと前記下カバーとの合わせ目では、前記上カバーの前面側の外表面が、前記下カバーの前面側の外表面よりも前方に張り出していることを特徴とする請求項１から５のいずれか１項に記載の電力量計。
【発明の詳細な説明】
【技術分野】
【０００１】
本発明は、壁面に設置される電力量計のとくに防水の構造に関する。
【背景技術】
【０００２】
電力量計は、背面側を壁面に対向させて設置されることを前提としており、前面側は、配線の改変（不当改造）や盗電を防止するためのカバーで覆われ、無断でカバーを外せないように封印が施されている。一方、電力量計は、定格に応じて端子台の形状が異なるため、これに合わせて多種類のカバーを用意する必要がある。そこで、金型等の製作を考えると、大きさが一定な主に計量部を覆うカバー（上カバー）と、定格に応じて大きさが異なる主に端子ブロック部分を覆うカバー（下カバー）に分割してカバーを構成する方が、一体物で構成するよりも高い生産性が得られると考えられる。その場合、上カバーと下カバーの合わせ目からの水の流入が懸念され、上カバー下面に設けた凹部に対して、下カバー上面に設けた凸部を嵌め合わせる電力量計が提案されている（例えば、特許文献１参照。）。
【先行技術文献】
【特許文献】
【０００３】
【特許文献１】特開２００９−３６６６２号公報（段落００２１〜００２６、図１〜図５）
【発明の概要】
【発明が解決しようとする課題】
【０００４】
しかしながら、計量部を覆う上カバーは、出荷後は封印を破ることが許されないよう本体に固定されており、電気工事の際には、本体に上カバーが固定された状態で、下カバーのみを着脱することになる。一方、上述した構成では、設置状態において単に下カバーを前後方向に移動させるだけでは固定できず、配線等が連なる下方側から上方に向けて下カバーを移動させながら嵌め合わせる必要がある。そのため、作業性が悪く、容易に着脱することができなかった。
【０００５】
本発明は、上記のような課題を解決するためになされたもので、生産性と作業性と防水性を兼ね備えた電力量計を得ることを目的とする。
【課題を解決するための手段】
【０００６】
本発明の電力量計は、壁面に設置されることを前提とする電力量計であって、前記壁面への設置状態において、配線に流れる電力を計量する計量部と、前記計量部の下方側に配置され、前記配線と前記計量部とを電気接続するための複数の端子が配列された配線作業面を前面側に有する端子ブロックとが設けられた本体部と、前記本体部の前面側を覆うカバーと、を備え、前記カバーは、前記本体部に固定され、前記計量部を覆う上カバーと、前記本体部に対して前後方向で着脱自在に構成され、前記上カバーの下側の突き合わせ端部と突き合わさり、前記上カバーと上下方向に連なる下カバーと、で構成され、前記下カバーの前記上カバーに対する突き合わせ端部には、前面から両側面の背面側に至るＵ字状の延在方向に沿って流路溝が形成されていることを特徴とする。
【発明の効果】
【０００７】
本発明の電力量計によれば、下カバーの突き合わせ端部に流路溝を設けたので、上下方向の移動を伴わずに設置でき、上カバーを伝わる水が下カバーとの合わせ目から侵入したとしても、機器のない背面側に誘導できるので、生産性と作業性と防水性を兼ね備えた電力量計を得ることができる。
【図面の簡単な説明】
【０００８】
【図１】本発明の実施の形態１にかかる電力量計において、下カバーを装着しようとしている状態を示す斜視図である。
【図２】本発明の実施の形態１にかかる電力量計において、本体部に上カバーを装着しようとしている状態を示す斜視図である。
【図３】本発明の実施の形態１にかかる電力量計の上カバーを異なる方向から見たときのそれぞれの斜視図である。
【図４】本発明の実施の形態１にかかる電力量計において、本体部に上カバーを装着した状態を示す斜視図である。
【図５】本発明の実施の形態１にかかる電力量計の下カバーの平面図と断面図である。
【図６】本発明の実施の形態１にかかる電力量計において、下カバーの装着前と装着後それぞれの状態を示す断面図である。
【図７】本発明の実施の形態１にかかる電力量計の斜視図である。
【図８】本発明の実施の形態１にかかる電力量計の側面図である。
【図９】本発明の実施の形態１にかかる電力量計の背面図と部分拡大図である。
【図１０】本発明の実施の形態２にかかる電力量計の斜視図である。
【発明を実施するための形態】
【０００９】
実施の形態１．
図１〜図９は、本発明の実施の形態１にかかる電力量計の構成を説明するためのものである。図１は本発明の特徴部分である下カバーの構成を示すため、電力量計が壁面に設置された状態において、下カバーを装着しようとしている状態を示す斜視図である。図２は電力量計の本体部に上カバーを装着しようとしている状態を示す斜視図、図３（ａ）〜（ｃ）は、上カバーを異なる方向から見たときのそれぞれの斜視図、図４は電力量計の本体部に上カバーを装着し、封印を施した状態を示す斜視図、そして、図５（ａ）は下カバーの平面図、図５（ｂ）は図５（ａ）のＢ−Ｂ線による断面図である。
【００１０】
図６は下カバーの装着前後それぞれの状態を示すため断面図で、図６（ａ）は装着前の状態、図６（ｂ）は装着後の状態、図６（ｃ）は図６（ｂ）の領域Ｒ１部分を拡大したもので、それぞれ図１のＡ−Ａ線による断面に対応する。図７はカバーを装着した状態の電力量計の斜視図、また、図８はカバーを装着した電力量計の側面図で、下カバーの流路溝部分を覆う部分を透過させている。図９（ａ）はカバーを装着した電力量計の背面図、図９（ｂ）は図９（ａ）の領域Ｒ２部分の部分拡大図である。
【００１１】
本発明の実施の形態１にかかる電力量計１は、図示しない垂直な壁面に設置されることを前提としたものである。そして、図１に示すように、背面側が壁面に固定される本体部２と、本体部２に対して着脱自在で、本体部２の少なくとも天面と両側面と前面を覆うカバー３とを有している。カバー３は、本体部の主に上半分を覆い、出荷後は取り外し不可となる上カバー３１と、主に下半分を覆い、配線工事の際に着脱する下カバー３２と、の２つの部材で構成される。そして、特徴的構成として、下カバー３２の上カバー３１に対する突き合わせ端部３２ｆｊの内面側には、Ｕ字状の延在方向に沿って、流路溝３２ｄが形成されている。
【００１２】
なお、方向については、ｚ方向を電力量計１の厚み方向と定義し、正側を前面側、負側を背面（設置面）側とする。そして、ｘ方向を電力量計１の横方向と定義し、正側を右、負側を左とする。さらに、ｙ方向を電力量計１の縦方向（設置状態での鉛直方向、つまり上下方向）と定義し、正側を上、負側を下とする。なお、電力量計１の実際の取り付け状態においては、計量部２２が端子ブロック２３の上側になるように、縦方向を鉛直方向に揃えて、背面側が壁等に固定されることを想定している。
【００１３】
本体部２は、図２に示すように、背面側（図９参照）が壁面に固定されるベース部材２１と、ベース部材２１の前面側に配置され、配線に流れる電力を計量する計量部２２と、計量部２２の下方側に配置され、配線を電気接続するための複数の端子が配列された配線作業面２３ｆを有する端子ブロック２３と、端子ブロック２３と計量部２２とを電気接続するための図示しない内部配線部材や基板等を覆うベースカバー２４とを有している。なお、本体部２からカバー３を外した状態では、計量部２２には複数の電子部材が搭載されており、後述するように水の侵入から守る必要があるが、図では個々の電子部材の記載を省略し、簡略化した直方体で示している。
【００１４】
ベース部材２１は、例えば、ＰＢＴ（Polybutylene Terephthalate：ポリブチレンテレフタレート）などの熱可塑性樹脂を成形して形成される。そして、壁面に対向するように設置され、背面を覆う背面板部２１ｐと、背面板部２１ｐから前方に向けて立ち上がり、設置状態における両側部および天面部を囲うＵ字状の枠部２１ｆと、を有している。枠部２１ｆの内側は、機器等を収容する収容部となっている。枠部２１ｆの外周部分には、侵入した雨水を外部に誘導する流路となる流路溝２１ｄ（主流路溝２１ｄｍ、分岐溝２１ｄｓ）が形成されている。
【００１５】
また、枠部２１ｆの縦方向の中間部分には、上カバー３１と下カバー３２の突き合わせ端部３１ｆｊ、３２ｆｊの背面側部分を嵌め合わせるための凹部２１ｂが形成され、その下方側には、上カバーを固定するための固定穴２２ｓが形成されている。また、枠部２１ｆの延在方向（Ｕ字状）における両端（下端）に位置する部分には、下カバー３２を固定するためのスナップフィット凹部２３ｓが形成されている。また、背面板部２１ｐの背面側と、枠部２１ｆより上方に突出する部分には、壁面に取り付けるための取付部２１ｊ（図９参照）が形成されている。
【００１６】
なお、主流路溝２１ｄｍは、基本的には天面側から両側部の下方まで伸びているが、両側部の中間部分で、上述した凹部２１ｂによって分断されている。そのため、凹部２１ｂより上側の主流路溝２１ｄｍは、天面部分から両側面に延び、凹部２１ｂの手前で背面側に曲がり、背面側で開放されている。一方、凹部２１ｂより下方の主流路溝２１ｄｍは、まっすぐに下り、下端で開放されている。そして、凹部２１ｂの上側、下側、それぞれの主流路溝２１ｄｍには、背面に向かって下方に傾斜し、背面側で開放される複数の分岐溝２１ｄｓが連通している。
【００１７】
端子ブロック２３は、ＰＢＴなどの熱可塑性樹脂で形成され、略箱状をなす。下部には、図示しない電源側回路および負荷側回路の配線を挿入接続するための接続孔２３ｊが配置されている。そして、前面側の配線作業面２３ｆには、各接続孔２３ｊに対応して、挿入した配線を接続するための端子を操作するためのネジ頭が配列されている。また、上部には、計量部２２との図示しない接続部が形成されている。
【００１８】
カバー３を構成する上カバー３１と下カバー３２は、例えば、ＰＣ（Polycarbonate：ポリカーボネート）などの熱可塑性樹脂を用いて成形している。上カバー３１は図３（ａ）〜（ｃ）に示すように、天面部３１ｆｔと両側の側面部３１ｆｓおよび前面部３１ｆｆとが連なり、背面側と下面側が開放されるようになっている。下面側には、下カバー３２との突き合わせ端部３１ｆｊが、ほぼ水平面（ｘｚ面）内にＵ字状に延在するように形成されている。突き合わせ端部３１ｆｊ直下の内側部分には、突き合わせ端部３１ｆｊとの間で、後述する下カバー３２の突出部３２ｐを把持するための把持部３１ｇが前面側に開口するように形成されている。また、突き合わせ端部３１ｆｊの下方の右側部には、本体部２に固定するためにｘｙ面内で開口する固定穴３１ｓが形成され、左右方向の反対側となる左側部には、本体部２の図示しない係止部に引掛けるフック部３１ｚが形成されている。
【００１９】
そして、本体部２に対して枠部２１ｆおよび凹部２１ｂをガイドとして、前方から上カバー３１を押し込むと、突き合わせ端部３１ｆｊの背面側の端部が凹部２１ｂ内に入り込む。そして、上カバー３１の固定穴３１ｓと本体部２の固定穴２２ｓが同軸上で重なるとともに、フック部３１ｚと図示しない係止部が噛み合う。この状態で、図２に示すように、封印ネジ９１を固定穴３１ｓからねじ込むと、フック部３１ｚと固定穴３１ｓ、突き合わせ端部３１ｆｊの背面側の端部、および図示しない移動規制部材によって、上カバー３１は本体部２に対し移動できないように固定される。
【００２０】
さらに、図４に示すように封印材９２を被せて封印を施すと、封印を破らないかぎり、封印ネジ９１を外すことはできず、計量部２２に対して接触することができなくなる。なお、この封印は検定封印と呼ばれ、この封印を破ると料金等の算出に関わる計器として使用できなくなる。一方、この状態においても、端子ブロック２３の配線作業面２３ｆは露出している。
【００２１】
一方、下カバー３２は、図１に示すように、下方が窪むようになだらかな曲面を有する前面部３２ｆｆと、両側の側面部３２ｆｓとが連なり、上面側と背面側、そして、下面側が開放（開口３２ａ：図５参照）されている。上面側には、上カバー３１との突き合わせ端部３２ｆｊが、ほぼ水平面（ｘｚ面）内でＵ字状に延在するように形成されている。また、両側の側面部３２ｆｓの下端側には、本体部２に固定するためのスナップフィット凸部３２ｓが形成されている。そして、特徴的な構成として、Ｕ字状に延在する突き合わせ端部３２ｆｊの内側には、内表面から突出し、上面に流路溝３２ｄが形成された突出部３２ｐが設けられている。
【００２２】
流路溝３２ｄは、図５に示すように、外表面を形成する外壁部３２ｗｘに対して、内側に突出する突出部３２ｐの内側の端部に設けた内壁部３２ｗｉとの間に形成されたものである。流路溝３２ｄのうち、前面部３２ｆｆに沿って左右方向に延在する前部溝３２ｄｆは、左右方向の中央部分を頂点として、両端が下方になるように、底面３２ｄｆｂには、１．５度の傾斜αｆｂが設けられている。そして、溝幅方向（ｚ方向）中央に位置する仕切壁３２ｗｄによって、それぞれ、５．５ｍｍの溝幅を有する２つの溝が並行に走るように構成している。
【００２３】
流路溝３２ｄのうち、側面部３２ｆｓに沿って厚み方向に延在する側部溝３２ｄｓを形成する部分では、側面部３２ｆｓに段差がある部分より背面側の部分に、ガイド壁３２ｗｇが設けられている。ガイド壁３２ｗｇは外壁部３２ｗｘの屈曲により、溝幅が急変して広くなった部分に設けられ、前面側から背面側にかけて溝幅が急変せず、変化したとしても滑らかに変化するようにしたものである。これにより、段差がある部分で外壁部３２ｗｘが屈曲しているにもかかわらず、側部溝３２ｄｓは、前面側の幅４．１ｍｍから背面側にかけて溝幅を急変させることなく、なだらかに変化している。その結果、前部溝３２ｄｆに侵入した水滴が、例えば、表面張力によって角張った部分に張り付き、滞留させるようなことなく、背面側に誘導する流路溝３２ｄがＵ字状に形成されることになる。
【００２４】
そして、実際の設置状態では、上カバー３１が固定された本体部２に対し、図６に示すように、突き合わせ端部３１ｆｊ、３２ｆｊどうしをすり合わせるように前方から下カバー３２を押し込める。すると、突き合わせ端部３２ｆｊの背面側端部が図１、図２で示した凹部２１ｂ内にはまり込むと同時に、両側のスナップフィット凸部３２ｓとスナップフィット凹部２３ｓが嵌め合わさる。
【００２５】
このとき、流路溝３２ｄを形成する突出部３２ｐは、上カバー３１の把持部３１ｇに把持される。そして、外壁部３２ｗｘ、仕切壁３２ｗｄ、内壁部３２ｗｉが、把持部３１ｇの突き合わせ端部３１ｆｊに突き当たるように構成している。これにより、流路溝３２ｄの上面は閉塞され、流路内に侵入した水量が多くなった場合でも、水滴が内部に向かって移動するのを防止する防水構造を形成している。
【００２６】
なお、突出部３２ｐのうち、前面側の両側部近傍部分のある領域部分については、把持部３１ｇとの固定のため、把持部３１ｇの隙間（６．５ｍｍ）より大きな厚み（例えば、６．７ｍｍ）を有するように設定している。そのため、仮にスナップフィット結合による上下方向での動きの規制が緩い場合でも、嵌め合わせ後は、突き合わせ端部３１ｆｊ、３２ｆｊどうしが密着した状態で前後方向での移動が規制される。
【００２７】
なお、スナップフィット凹部２３ｓとスナップフィット凸部３２ｓには、それぞれ挿通孔が形成されており、嵌め合わせ（スナップフィット結合）した際に、一続きでワイヤー等を挿通できるように配置されている。そして、スナップフィット結合がなされたときには、図示しない移動規制部材同士が干渉し、スナップフィット結合を解除しないと下カバー３２は、本体部２から外すことができないようになっている。これにより、下カバー３２を本体部２に被せ、挿通孔にワイヤーを通して封印すれば、封印を破らない限り、下カバー３２を外すことはできなくなる。
【００２８】
また、下カバー３２の下面側の開口３２ａ（図５）の形状は、端子ブロック２３のうち、配線を通すための接続孔２３ｊ部分は露出させるが、配線作業面２３ｆ部分については、操作できない程度に調整しているので、封印を破らない限り、配線を改造することはできなくなる。
【００２９】
このようにして、下カバー３２を本体部２に装着すると、図７、図８に示すように、本体部２の機器等が収容された部分および配線作業面２３ｆは、カバー３によって覆われる。このとき、理想的には、上カバー３１と下カバー３２の突き合わせ端部３１ｆｊ、３２ｆｊどうしが密着して、合わせ目３ｍの隙間がなくなる。一方、上カバー３１と下カバー３２との合わせ目３ｍでは、上カバー３１の前面側の外表面（前面部３１ｆｆ）が、下カバー３２の前面側の外表面（前面部３２ｆｆ）より外側に張り出すように段差３ｕが形成されている。本実施の形態においては、段差が０．５ｍｍになるように設定している。
【００３０】
一方、背面側では、図９に示すように、上カバー３１の突き合わせ端部３１ｆｊと、下カバー３２の突き合わせ端部３２ｆｊとが、凹部２１ｂ内に嵌めこまれ、側部溝３２ｄｓが開口する。このとき、取付部２１ｊは背面板部２１ｐの主面よりも背面側に突出しているので、側部溝３２ｄｓが開口する部分は、壁面から離れた位置になるように設定されている。
【００３１】
このような構成の電力量計１が屋外の壁面に設置され、風雨に曝されたとき、カバー３にかかった水滴は、カバー３の外表面を下方に向けて流れ落ちる。このとき、上カバー３１の表面を流れる水滴は、合わせ目３ｍを経由して下カバー３２の表面を流れ落ちることになる。ここで、合わせ目３ｍに全く隙間が無いような場合には、上カバー３１の表面を流れ落ちる水滴は、合わせ目３ｍを超えて、全て下カバー３２の表面を流れ落ちていく。
【００３２】
しかしながら、樹脂の成形品では寸法精度や面精度に限界があり、また、温度変化等による膨張収縮も考えられる。そのため、Ｕ字状に延在する合わせ目３ｍのうち、把持部３１ｇの弾性変形によって突出部３２ｐが把持された領域での密着性は保持できたとしても、部分的には隙間が発生する可能性がある。一方、把持部の間隔より突出部３２ｐの方が大きな領域では、はめ込む際に力が必要であり、その領域を合わせ目３ｍに沿って全体に広げることは現実的ではない。つまり、工業製品である電力量計１において、２つのカバー部材（上カバー３１と下カバー３２）の合わせ目３ｍでの密着性を維持することは困難である。つまり、上カバー３１の表面に水滴がかかった場合、下カバー３２の表面に伝わらず、合わせ目３ｍの隙間から内部に侵入する水滴があることが考えられる。
【００３３】
しかし、本発明の実施の形態１にかかる電力量計では、下カバー３２の突き合わせ端部３２ｆｊの延在方向に沿って流路溝３２ｄを設けるようにした。これにより、合わせ目３ｍから水滴が侵入した場合でも、侵入した水滴は、下カバー３２の突き合わせ端部３２ｆｊの内縁部分の上面側に設けた流路溝３２ｄに沿って背面側へ排出される。つまり、仮に合わせ目３ｍから浸水が生じた場合でも、侵入した水がカバー３内部の機器に侵入することはなく、外部に排出することができる。とくに、前面側から前部溝３２ｄｆ内に侵入した水滴は、勾配に沿ってスムースに側部溝３２ｄｓに誘導され、外部に排出される。また、横風等で側面側から水が侵入するような状況でも、侵入した水滴が前部溝３２ｄｆ側へ逆流することもない。
【００３４】
その際、風雨が強く当たることが想定される前面側では、二重化した前部溝３２ｄｆを設けるようにしたので、仕切壁３２ｗｄ、内壁部３２ｗｉの二重の壁で内部への水滴の侵入をガードできる。また、側部溝３２ｄｓでは、ガイド壁３２ｗｇによって、溝幅が急変（ここでは急拡大）する部分をなくしたので、水滴が支障なく背面側へ誘導される。そして、背面側は壁面から離れているので、背面側の端部に達した水滴は背面あるいは壁面を伝って下方に流れ落ちる。つまり、作業性を損なう上下方向の動きを伴うことなく、前後方向の移動だけで下カバー３２を着脱でき、雨水等の合わせ目３ｍから水滴が入っても、内部機器への浸水を防止できる電力量計１を得ることができた。
【００３５】
なお、本実施の形態においては、流路溝３２ｄが把持部３１ｇ内に収まっている例を示したが、流路溝３２ｄ内の水滴の流れのみを考えると、流路溝３２ｄ部分は必ずしも把持部３１ｇ内に収まっている必要はない。
【００３６】
一方、上述したように、流路溝３２ｄは、合わせ目３ｍから侵入した水滴を内部へ侵入することを防止する効果を奏している。しかし、さらに、合わせ目３ｍ部分に段差３ｕを設けることにより、合わせ目３ｍからの侵入自体を減らすようにすることも有効である。このようにすることで、合わせ目３ｍにおいて、隙間が生じる部分があっても、上カバー３１の前面部３１ｆｆを流れ落ちてきた水滴は、下カバー３２の前面部３２ｆｆを伝って下方に流れ落ちることが多くなり、合わせ目３ｍから内部に侵入する水滴を減少させることができる。
【００３７】
なお、本実施の形態においては、前部溝３２ｄｆの幅や傾斜角度、および側部溝３２ｄｓの幅について具体的な例を記載したが、これに限ることはない。基本的には、侵入した水滴がスムースに背面側へ排出できるようになっていればよい。また、本実施の形態においては、側部溝３２ｄｓには傾斜を設けない例を示したが、これに限ることはなく、前部溝３２ｄｆと同様に背面側が下方にくるように傾斜を設けてもよい。
【００３８】
一方、カバー３の表面ではなく、カバー３の外周部分と枠部２１ｆとの隙間から水が侵入する場合もある。しかし、その場合でも、侵入した水は、枠部２１ｆに設けられた流路溝２１ｄに沿って、枠部２１ｆの延在方向に流れる。そして、上部の流路溝２１ｄに沿って流れる水は主流路溝２１ｄｍに沿って天面側から両側部に流れ、一部は分岐溝２１ｄｓを経て、残りは主流路溝２１ｄｍにより背面側へ排出される。一方、凹部２１ｂより下方側の隙間から侵入した水のほとんどは、主流路溝２１ｄｍに沿って下方から排出され、一部が分岐溝２１ｄｓを経て背面側へ排出される。これにより、電力量計１のどの方向に雨水がかかっても、内部に水滴を侵入させることなく防水性を保つことができる。
【００３９】
その際、流路溝３２ｄの背面側での排出口を図９で説明したように壁面に向かうのではなく、主流路溝２１ｄｍ、あるいは分岐溝２１ｄｓのいずれかに連通させるようにしてもよい。
【００４０】
また、本実施の形態において、上カバー３１と下カバー３２それぞれの突き合わせ端部３１ｆｊ、３２ｆｊの背面側が凹部２１ｂ内に収まる例を示したが、これに限ることはない。凹部２１ｂを設けず、単純に突き合わせるだけでもよい。この場合、流路溝２１ｄについても、上下方向で分かつことなく、主流路溝２１ｄｍを天面側から下端まで連続させるようにしてもよい。その場合でも、流路溝３２ｄの背面側での排出口を、主流路溝２１ｄｍ、あるいは分岐溝２１ｄｓのいずれかに連通させるようにしてもよい。
【００４１】
また、流路溝３２ｄを内表面から突出した突出部３２ｐに設ける例（Ｌ字状）を示したが、これに限ることはない。上カバー３１の把持部３１ｇによって把持できない場合はあるが、突き合わせ端部の形状を図示しない外表面に突出する逆Ｌ字状にしてもよいし、内表面と外表面の両側に突出するようにＴ字状にしてもよい。あるいは、突出部を設けず、壁材の厚みを厚くして壁材の厚みの中で設けるようにしてもよい。
【００４２】
実施の形態２．
上記実施の形態１では、側面側の合わせ目が水平になる例を示したが、本実施の形態２にかかる電力量計では、側面側の合わせ目に傾斜をつけるようにした。図１０は本実施の形態２にかかる電力量計において、カバーを装着した状態の側面図で、下カバーの流路溝部分を覆う部分を透過させており、実施の形態１で説明した図８に対応する。なお、図１０で説明する合わせ目の傾斜に関する構成や動作以外の部分については、実施の形態１と同様であるので、同様部分についての詳細な説明は省略し、場合によっては実施の形態１で用いた図を援用する。
【００４３】
図１０に示すように、本実施の形態２にかかる電力量計１では、上カバー３１の突き合わせ端部３１ｆｊ、下カバー３２の突き合わせ端部３２ｆｊが、背面側が低くなるように傾斜している。しかし、背面側が低くなるように傾斜したので、傾斜の大きさに関係なく、前後方向だけの動きだけで下カバー３２の着脱は可能である。そして、下カバー３２を装置した際の合わせ目３ｍも、突き合わせ端部３１ｆｊ、３２ｆｊと同じように背面側が低くなるように傾斜している。
【００４４】
この場合、図５で説明した側部溝３２ｄｓには、合わせ目３ｍと同様に、背面側の方が前面側より低くなるような傾斜がつくので、前部溝３２ｄｆから回ってきた水滴は確実に背面側に排出される。この場合には、仮にガイド壁３２ｗｇを設けず、溝幅が急拡大する部分があったとしても、水滴が滞留するリスクが減少し、スムースに背面側に排出することができる。
【００４５】
以上のように、本発明の各実施の形態にかかる電力量計１によれば、壁面に設置されることを前提とする電力量計１あって、壁面への設置状態において、配線に流れる電力を計量する計量部２２と、計量部２２の下方側に配置され、配線と計量部２２とを電気接続するための複数の端子が配列された配線作業面２３ｆを前面側に有する端子ブロック２３とが設けられた本体部２と、本体部２の前面側を覆うカバー３と、を備え、カバー３は、本体部２に固定され、計量部２２を覆う上カバー３１と、本体部２に対して前後方向で着脱自在に構成され、上カバー３１の下側の突き合わせ端部３１ｆｊと突き合わさり、上カバー３１と上下方向に連なる下カバー３２と、で構成され、下カバー３２の上カバー３１に対する突き合わせ端部３２ｆｊには、前面から両側面の背面側に至るＵ字状の延在方向に沿って流路溝３２ｄが形成されているように構成した。これにより、壁面に設置された電力量計１に対して、作業性を損なう上下方向の動きを伴うことなく、前後方向の移動だけで下カバー３２を着脱できる。そして、合わせ目３ｍから雨水等が侵入するようなことがあっても、Ｕ字状に延在する流路溝３２ｄに誘導されて背面側から排出され、内部機器への浸水を防止できる。つまり、生産性と作業性と防水性を兼ね備えた電力量計１を得ることができる。
【００４６】
とくに、流路溝３２ｄのうち、前面に沿った部分（前部溝３２ｄｆ）では、左右方向における両端部よりも中央部の方が高くなるように、傾斜が設けられているので、前面側から侵入した水を確実に側部溝３２ｄｓ側へ誘導することができる。
【００４７】
また、流路溝３２ｄのうち、前面に沿った部分（前部溝３２ｄｆ）では、複数の流路溝が並行するように形成されているので、前方から強い勢いで水が浸入しても、複数の溝間の壁材（例えば、仕切壁３２ｗｄ）によって、その勢いを止めることができる。つまり、前部溝３２ｄｆを横切って内部の機器へ浸水することを防止できる。
【００４８】
ここで、流路溝３２ｄは、突き合わせ端部３２ｆｊに沿って内表面から突出する突出部３２ｐの上面に形成されたものであり、上カバー３１には、突出部３２ｐのうち、前面に沿った部分を上下方向から把持する把持部３１ｇが形成されているように構成すれば、上カバー３１と下カバー３２の突き合わせ端部３１ｆｊ、３２ｆｊどうしが密着して、合わせ目３ｍの隙間、あるいは、仕切壁３２ｗｄや内壁部３２ｗｉと突き合わせ端部３１ｆｊとの隙間を確実に小さくすることができる。
【００４９】
下カバー３２の側面部３２ｆｓの外表面は、前面側と背面側との間に段差が形成されており、流路溝３２ｄのうち、側面に沿った部分（側部溝３２ｄｓ）では、外表面の段差による溝幅の変化を防止するガイド壁３２ｗｇが形成されているようにしたので、例えば、表面張力によって溝幅が急変する部分に水が滞留するようなことがなく、スムースに排出することができる。
【００５０】
さらに、上カバー３１と下カバー３２との合わせ目３ｍでは、上カバー３１の前面側の外表面（前面部３１ｆｆ）が、下カバー３２の前面側の外表面（前面部３２ｆｆ）よりも前方に張り出しているようにすれば、合わせ目３ｍに隙間があっても、上カバー３１の外表面を流れ落ちる水は、合わせ目３ｍを超えて、下カバー３２の外表面を流れ落ちるようになる。
【符号の説明】
【００５１】
１：電力量計、
２：本体部、
２１：ベース部材、  ２１ｂ：凹部、  ２１ｆ：枠部、  ２１ｄ：流路溝、  ２１ｄｍ：主流路溝、  ２１ｄｓ：分岐溝、
２２：計量部、  ２３：端子ブロック、  ２３ｆ：配線作業面、  ２３ｓ：スナップフィット凹部、
３：カバー、  ３ｕ：段差、  ３ｍ：合わせ目、
３１：上カバー、  ３１ｆｆ：前面部、  ３１ｆｊ：突き合わせ端部、  ３１ｆｓ：側面部、  ３１ｆｔ：天面部、  ３１ｇ：把持部、  ３１ｓ：固定穴、  ３１ｚ：フック部、
３２：下カバー、  ３２ｄ：流路溝、  ３２ｄｆ：前部溝、  ３２ｄｆｂ：底面、  ３２ｄｓ：側部溝、  ３２ｆｆ：前面部、  ３２ｆｊ：突き合わせ端部、  ３２ｆｓ：側面部、  ３２ｐ：突出部、  ３２ｓ：スナップフィット凸部、  ３２ｗｄ：仕切壁、  ３２ｗｇ：ガイド壁、  ３２ｗｉ：内壁部、  ３２ｗｘ：外壁部、
αｆｂ：流路溝底面の傾斜。
【図１】
2018179771.tif 000003
【図２】
2018179771.tif 000004
【図３】
2018179771.tif 000005
【図４】
2018179771.tif 000006
【図５】
2018179771.tif 000007
【図６】
2018179771.tif 000008
【図７】
2018179771.tif 000009
【図８】
2018179771.tif 000010
【図９】
2018179771.tif 000011
【図１０】
2018179771.tif 000012